(57)【要約】      （修正有）【課題】ＦＰＣの製品への取付、取外しが容易で、複数の固定点を備える構造であっても、金型を用いた突起の形成が容易であると共に、ＦＰＣの固定状態での微少な位置修正、即ち寸法誤差吸収が可能なＦＰＣの固定構造を提供する。【解決手段】フレキシブルプリント基板（ＦＰＣ）１にＦＰＣ１を貫通する長孔２を設け、ＦＰＣ１を固定する固定部３に、板状体であり、軸部４１と先端部４２を備えた側面視矢印型に成形した突起を設け、長孔２及び突起４を夫々複数設け、長孔２の長手方向を同一方向としたグループを複数設け、グループ毎に長孔２の長手方向の方向を異なる方向とし、前記長孔２に前記突起３の先端部４２を挿入し、先端部４２の両端の係止部４４に係止させてＦＰＣ１を固定部に固定させる。【選択図】図１
2008021832.tif 000002
【特許請求の範囲】
【請求項１】
フレキシブルプリント基板（ＦＰＣ）にフレキシブルプリント基板を貫通する長孔を設け、
フレキシブルプリント基板を固定する固定部に、板状体であり、軸部と前記長孔の幅より底辺が長い先端部を備えて側面視矢印型に成形した突起を設け、
前記長孔に前記突起の先端部を挿入し、先端部の両端の係止部に係止させてフレキシブルプリント基板を固定部に固定させることを特徴とするフレキシブルプリント基板の固定構造。
【請求項２】
前記先端部の底辺の長さは前記長孔の長手方向の幅より長く成形したことを特徴とする請求項１記載のフレキシブルプリント基板の固定構造。
【請求項３】
前記長孔及び前記突起を夫々複数設け、長孔の長手方向を同一方向としたグループを複数設けてグループ分けし、グループ毎に長孔の長手方向の方向を異なる方向としたことを特徴とする請求項１又は２記載のフレキシブルプリント基板の固定構造。
【請求項４】
少なくとも一対の対応する長孔と突起の軸部の距離を他の対応する長孔と突起の軸部の距離と異ならせたことを特徴とする請求項３記載のフレキシブルプリント基板の固定構造。
【請求項５】
長孔の外周部には、フレキシブルプリント基板の裂けを防止するための保護部材を設けたことを特徴とする請求項１から４のうちいずれかに記載のフレキシブルプリント基板の固定構造。
【発明の詳細な説明】
【技術分野】
【０００１】
本発明はフレキシブルプリント基板（ＦＰＣ）の固定構造に関し、特に取付性及び分解性の高いＦＰＣの固定構造に関するものである。
【背景技術】
【０００２】
従来から自動車用の配線材として、電線を用いたワイヤーハーネス（ＷＨ）が用いられてきたが、最近になって省スペース化、軽量化等を目的としてフレキシブルプリント基板（ＦＰＣ）を用いた配線が採用され始めている。
【０００３】
このＦＰＣ配線も車体側への取付作業は従来の自動車組み立てラインにて行われるため、ＦＰＣの車体側への取付作業において、片手の作業で位置決めや取付が可能であり、且つ非力の作業者の力でもこの作業が出来る等の作業の容易性が求められており、更にこれに加えて修理時や廃棄時に車体からのＦＰＣの取外し、分解が容易であるという性能も要求される。又、自動車に限らず、各種家電製品その他の電気配線を用いる各種製品にも同様にＦＰＣが用いられるようになってきており、自動車製造の場合と同様の理由から、同様の性能が要求されている。
【０００４】
このようなＦＰＣの固定構造としては、ＦＰＣに孔を設け、該孔にネジを貫通させてネジ止めで車体に固定する構造が主に用いられていたが、ＦＰＣの取付を容易とするため、ハウジングに軸部よりも大径の頭部を供えた突起部を形成すると共に、フレキシブル配線板に該突起部の頭部よりも若干小さいサイズの開口を形成したフレキシブル配線板のハウジングへの固定構造が提案されている（特許文献１参照）。
【０００５】
【特許文献１】特開２０００−１４９６５２号公報
【発明の開示】
【発明が解決しようとする課題】
【０００６】
しかし、上記従来例に示す固定構造を用いた場合、軸部と開口が密着しているため、単独の固定点、即ち一個の突起部及び一個の開口を備える構造であれば問題は発生しないが、複数の固定点、即ち複数の突起部及び複数の開口を備える構造を用いてＦＰＣを固定する場合においては、ＦＰＣに設けた孔及び固定用の突起の配列の其々に生じる寸法誤差の吸収方法が問題となっていた。又、ＦＰＣの固定作業時に明確な設置完了の感触を得ることができず、製品の振動等に起因するＦＰＣの離脱の発生を確実に防止することもできなかった。又、特に大型ＦＰＣの端部位置決めと製品への固定を同時に行うことが出来なかった。
【０００７】
そこで、本願発明者は図６乃至８に示すように、ＦＰＣ１０に位置決め用の孔１１と寸法誤差吸収用の孔１２を設けると共に、円柱状の軸部１４に軸部１４より大径で上部にテーパー部を設けた先端部１５を有する突起１３を設置部１６に設け、位置決め用の孔１１を軸部１４とを略同径とし、寸法誤差吸収用の孔１２を短手方向は軸部１４の径と同一長さ、長手方向を軸部１４の径以上の長さの長孔に形成し、寸法誤差吸収用の長孔１２の長手方向の延長線を一直線上に配列することで矢印Ｙ方向への寸法誤差を吸収する構造を開発した。
【０００８】
しかし、この構造を採用するにあたって、突起１３の形状を樹脂部品などの金型を用いて製造する部品上に構成する場合には、複雑な金型を必要とし、複数の固定点即ち複数の突起を設ける場合には金型設計が成立しないといった問題を抱えていた。
【０００９】
そこで、本願発明はＦＰＣの製品への取付、取外しが容易で、複数の固定点を備える構造であっても、金型を用いた突起の形成が容易であると共に、ＦＰＣの固定状態での微少な位置修正、即ち寸法誤差吸収が可能なＦＰＣの固定構造を提供することを目的とする。又、ＦＰＣの固定作業時に明確な設置完了の感触を得ることを可能とすることを目的とする。又、製品の振動等に起因するＦＰＣの離脱の発生を確実に防止することを目的とする。又、ＦＰＣ、特に大型ＦＰＣの端部位置決めと製品への固定を同時に行うことを可能とすることを目的とする。
【課題を解決するための手段】
【００１０】
上記課題を解決するための本願発明フレキシブルプリント基板の固定構造は、フレキシブルプリント基板（ＦＰＣ）にフレキシブルプリント基板を貫通する長孔を設け、フレキシブルプリント基板を固定する固定部に、板状体であり、軸部と前記長孔の幅より底辺が長い先端部を備えて側面視矢印型に成形した突起を設け、前記長孔に前記突起の先端部を挿入し、先端部の両端の係止部に係止させてフレキシブルプリント基板を固定部に固定させることを特徴とするフレキシブルプリント基板の固定構造である。
【００１１】
又、上記構造において、前記先端部の底辺の長さは前記長孔の長手方向の幅より長く成形したことを特徴とするフレキシブルプリント基板の固定構造である。
【００１２】
又、上記構造において、前記長孔及び前記突起を夫々複数設け、長孔の長手方向を同一方向としたグループを複数設けてグループ分けし、グループ毎に長孔の長手方向の方向を異なる方向としたことを特徴とするフレキシブルプリント基板の固定構造である。
【００１３】
又、上記構造において、少なくとも一対の対応する長孔と突起の軸部の距離を他の対応する長孔と突起の軸部の距離と異ならせたことを特徴とするフレキシブルプリント基板の固定構造である。
【００１４】
又、上記構造において、長孔の外周部には、フレキシブルプリント基板の裂けを防止するための保護部材を設けたことを特徴とするフレキシブルプリント基板の固定構造である。
【発明の効果】
【００１５】
上記のような本願発明によれば、フレキシブルプリント基板（ＦＰＣ）にフレキシブルプリント基板を貫通する長孔を設け、フレキシブルプリント基板を固定する固定部に、板状体であり、軸部と前記長孔の幅より底辺が長い先端部を備えて側面視矢印型に成形した突起を設け、前記長孔に前記突起の先端部を挿入し、先端部の両端の係止部に係止させてフレキシブルプリント基板を固定部に固定させることを特徴とし、更に前記先端部の底辺の長さは前記長孔の長手方向の幅より長く成形したことを特徴とするので、ＦＰＣの製品への取付、取外しが容易で、金型を用いた突起の形成が容易であると共に、ＦＰＣの固定状態での微少な位置修正、即ち寸法誤差吸収が可能となった。又、ＦＰＣの固定作業時に明確な設置完了の感触を得ることを可能とすることが可能となった。さらに、製品の振動等に起因するＦＰＣの離脱の発生を確実に防止することが可能となった。
【００１６】
又、前記長孔及び前記突起を夫々複数設け、長孔の長手方向を同一方向としたグループを複数設けてグループ分けし、グループ毎に長孔の長手方向の方向を異なる方向としたことを特徴とするので、複数の固定点を備える構造であっても、金型を用いた突起の形成が容易であると共に、ＦＰＣの固定状態での微少な位置修正、即ち寸法誤差吸収が可能なＦＰＣの固定構造を提供することが可能となった。又、ＦＰＣ、特に大型ＦＰＣの端部位置決めと製品への固定を同時に行うことが可能となった。
【００１７】
又、少なくとも一対の対応する長孔と突起の軸部の距離を他の対応する長孔と突起の軸部の距離と異ならせたことを特徴とするので、寸法誤差吸収量をきわめて容易に調節することが可能となった。
【００１８】
又、長孔の外周部には、フレキシブルプリント基板の裂けを防止するための保護部材を設けたことを特徴とするので、長孔の強度が高まり、フレキシブルプリント基板の裂けを防止することが可能となった。
【発明を実施するための最良の形態】
【００１９】
以下、本発明の実施の形態を図に従って詳細に説明する。図１は本発明一実施形態の分解斜視図であり、フレキシブルプリント基板（以下「ＦＰＣ」という場合がある。）１にＦＰＣ１を貫通する長孔形状の長孔２を設けると共に、ＦＰＣ１を固定する製品の固定部３に突起４を設けている。長孔２の端部はＦＰＣ１が裂けるのを防止するために丸型に成形することが好ましい。ここでいう製品は自動車、各種家電製品その他の電気配線を用いる各種製品を含むものであり、固定部３は製品本体或いは製品本体に設けられたハウジング等で構成される。ＦＰＣを固定する製品として、「インストルメントパネル」、「ドアトリム」、「コンソールボックス」等がある。
【００２０】
突起４は略均一な厚みを有する板状体であり、側面視矢印型に成形している。即ち、側面視突起４の軸部４１を方形に、先端部４２を略三角形に成形し、先端部４２の両側端は軸部４１から突出して係止部４４を構成している。先端部４２の三角形の角部は適宜切欠くこととしてもよい。又、突起４は、対応する長孔２の長手方向と先端部４２の底辺４３とが同一方向で重なるように成形されると共に、先端部４２の三角形の底辺４３の長さＷはＦＰＣ１に設けた長孔２の長手方向の幅Ｌより長く成形して構成している。突起４の材質は特に限定されず、合成樹脂やゴム等を用いることが出来る。尚、突起４は先端に向かって厚みが薄くなる板状体等厚みが均一でない板状体で形成してもよい。
【００２１】
このような構成により、図２及び３に示すように、ＦＰＣ１の柔軟性を利用して、ＦＰＣ１の長孔２に先端部４２が突出するように対応する突起４を挿入させることにより、突起４の係止部４４にＦＰＣ１が係止され、ＦＰＣ１が固定部３に固定されて、離脱することを防止する構造となっている。又、上述のような突起４の形状を採用することにより、簡単な金型で突起４を成形することが可能となっている。尚、ＦＰＣ１は、軸部４１の高さＨを適宜調整し、固定部３に図示しないリブ等で構成する支持部を設け、該支持部と先端部４２の係止部４４の底面部で支持する構成、或いは固定部３と先端部４２の係止部４４の底面部で支持する構成としてもよい。該支持部又は固定部３と先端部４２の係止部４４の底面部との距離はＦＰＣ１の厚みと同等としてもよいが、それ以上としてもよい。
【００２２】
長孔２の長手方向の幅Ｌは突起４の軸部４１の幅Ｖと同等として、長孔２に突起４の先端部４２が突出するように貫通した後にはＦＰＣ１の長孔２の長手方向への移動を抑制することも可能であるが、長孔２の長手方向の幅Ｌは突起４の軸部４１の幅Ｖより大きく構成することで、貫通後もＦＰＣ１の長孔２の長手方向への移動が可能となり、突起４並びにＦＰＣ１の寸法誤差を吸収することが可能である。同様に、長孔２の短手方向の幅Ｍは突起４の軸部４１の幅Ｚと同等として、長孔２に突起４の先端部４２が突出するように貫通した後にはＦＰＣ１の長孔２の短手方向への移動を抑制することも可能であるが、長孔２の短手方向の幅Ｍは突起４の軸部４１の幅Ｚより大きく構成することで、貫通後もＦＰＣ１の長孔２の短手方向への移動が可能となり、突起４並びにＦＰＣ１の寸法誤差を吸収することが可能である。
【００２３】
突起４及び長孔２はＦＰＣ１の大きさ等に対応して夫々１個乃至複数ずつ設けるが、複数設ける場合には、長孔２の長手方向を総て同一方向とすることとしてもよいが、長孔２の長手方向を同一方向としたグループを複数設けてグループ分けし、グループ毎に長孔２の長手方向の方向を異なる方向としてもよい。各グループに属する長孔２の数は限定されず、夫々１個乃至複数設けることが出来る。
【００２４】
図４に示す一実施例では、長孔２の長手方向を同一方向としたグループを２グループ設け、フレキシブルプリント基板（ＦＰＣ）１に長孔２として１個の位置決め用長孔２１（第一グループＧ１）と２個の誤差吸収用長孔２２（第二グループＧ２）を、位置決め用長孔２１の長手方向と２個の誤差吸収用長孔２２の長手方向の延長線Ｒが直交するよう設けている。誤差吸収用長孔２２の長手方向の幅Ｌは突起４の軸部４１の幅Ｖより大きく構成している。このような構成とすることで、位置決め用長孔２１と対応する突起４でＦＰＣ１の位置決めを行った後、順次誤差吸収用長孔２２で突起４並びにＦＰＣ１の寸法誤差を吸収しながらＦＰＣ１を固定する作業が可能となる。又、長孔２１，２２と突起４の軸部４１を離間する構成とすることで、矢印Ｙ方向の寸法誤差のみならず、矢印Ｘ方向の寸法誤差も吸収することが可能となる。
【００２５】
尚、位置決め用長孔２１及び誤差吸収用長孔２２の設置数及び長孔２の長手方向を同一方向としたグループの設定数は上記実施例の数に限定されず、位置決め用長孔２１の長手方向と誤差吸収用長孔２２の長手方向の延長線との交差角度も９０度に限定されないで構成することも可能である。
【００２６】
総ての長孔２の寸法即ち長手方向の幅Ｌと短手方向の幅Ｍ及び総ての突起４の軸部４１の寸法即ち軸部４１の幅Ｖと幅Ｚを夫々同一としてもよいが、少なくとも一個の長孔２又は突起４の軸部４１の寸法を異ならせ、即ち、少なくとも一対の長孔２と突起４の軸部４１間の距離と他の対の長孔２と突起４の軸部４１間の距離を異ならせることにより、誤差吸収量を調節することが可能である。対応する長孔２と突起４の軸部４１間の距離が０の場合には、誤差吸収量は０となる。
【００２７】
又、長孔２を複数設けた場合、突起４は、係止部４４がＦＰＣ１と係止可能であれば、対応する長孔２の長手方向と先端部４２の底辺４３とが異なる方向で成形することとしてもよい。
【００２８】
又、図５に示すように、長孔２の外周部には、突起４の挿入によりＦＰＣ１が裂けるのを防止するための保護部材６を設けることが好ましい。保護部材６は、半田等の金属をＦＰＣ１上に半田付け、もしくはめっきして構成することが出来る。
【図面の簡単な説明】
【００２９】
【図１】本発明一実施形態を示す分解斜視図。
【図２】本発明一実施形態を示す平面図。
【図３】図２Ａ−Ａ断面図。
【図４】本発明第二の実施形態を示す平面図。
【図５】本発明長孔部分の一実施例を示す平面図。
【図６】本発明改良前の一実施形態を示す平面図。
【図７】図６Ｂ−Ｂ断面図。
【図８】図６Ｃ−Ｃ断面図。
【符号の説明】
【００３０】
１    フレキシブルプリント基板（ＦＰＣ）
２    長孔
３    固定部
４    突起
４１  軸部
４２  先端部
４４  係止部
６    保護部材
【図１】
2008021832.tif 000003
【図２】
2008021832.tif 000004
【図３】
2008021832.tif 000005
【図４】
2008021832.tif 000006
【図５】
2008021832.tif 000007
【図６】
2008021832.tif 000008
【図７】
2008021832.tif 000009
【図８】
2008021832.tif 000010